(57)【要約】【課題】毛髪を損傷させる可能性を低減しつつ、毛髪全体を均一に、かつ短時間に乾燥させることが可能であり、小型化及び省電力化も可能なヘアドライヤーを提供する。【解決手段】ハウジング５の後端の空気の吸い込み口５１側に空気流を発生させる送風部２を設け、送風部２に対して空気流の下流側に空気を加熱して温風を発生させる温風用熱源部３を設け、さらに温風用熱源部３に対して空気流の下流側に放射熱線を放射する放電ランプ（ハロゲンランプ）４１と、放射された放射熱線をハウジング５の先端の吹き出し口５２側に反射する反射ミラー４２を有する放射熱源部４を設ける。放射熱線により毛髪を輻射加熱すると共に温風により対流加熱し、さらに温風によって蒸発した水蒸気を含む湿った空気を吹き飛ばす。【選択図】図１
2005177234.tif 000002
【特許請求の範囲】
【請求項１】
一端に空気の吸い込み口が設けられ、他端に空気流の吹き出し口が設けられたハウジングと、
前記ハウジングの内部に設けられ、空気流を発生させる送風部と、
前記ハウジングの内部に設けられ、前記送風部から送り出された空気を加熱して温風を発生させる温風用熱源部と、
前記ハウジングの内部に設けられ、赤外線を含む放射熱線を放射する放射熱源と、前記放射熱源から放射された放射熱線を前記吹き出し口側に反射する反射ミラーを有し、主に放射熱線による輻射加熱を行う放射熱源部とを備えたことを特徴とするヘアドライヤー。
【請求項２】
前記温風用熱源部は前記送風部に対して前記空気流の下流側に設けられ、前記放射熱源部は前記温風用熱源部に対してさらに前記空気流の下流側に設けられていることを特徴とする請求項１に記載のヘアドライヤー。
【請求項３】
前記放射熱源部は、前記送風部により発生された空気流が通過する開口を有し、前記開口のうち１つは前記空気流の中心軸上に配置されていることを特徴とする請求項２に記載のヘアドライヤー。
【請求項４】
前記放射熱源はハロゲンランプであって、放射熱線を放射するバルブの中央部分の外観が正面から見て略環状に形成され、かつ前記バルブの両端の電極部が互いに隣接するように形成され、前記略環状の中空部分を前記空気流が通過するように、前記略環状をなす方向が前記空気流の中心軸に対して略直交するように配置されていることを特徴とする請求項１乃至請求項３のいずれかに記載のヘアドライヤー。
【発明の詳細な説明】
【技術分野】
【０００１】
本発明は、ヘアドライヤーの関し、特に対流加熱方式と赤外線による輻射加熱方式を同時に利用することができるヘアドライヤーに関する。
【背景技術】
【０００２】
一般的に、従来のヘアドライヤーでは、送風ファンにより吹き出される空気をニクロム線を用いたヒータで加熱し、加熱された温風を本体前端の吹き出し口から吹き出させる対流加熱方式を採用している。この対流加熱方式のヘアドライヤーでは、吹き出された温風の多くは、毛髪などの乾燥対象物に有効に作用せずに周囲に拡散してしまう。そのため、対流加熱方式のヘアドライヤーの熱効率はあまり高くない。
【０００３】
また、対流加熱方式のヘアドライヤーは、温風により毛髪一本一本の表面を加熱し、毛髪表面の水分の蒸発させて乾燥させるものである。そのため、温風に最初に曝される毛髪の表面付近が先に乾燥し、温風に曝されにくい毛髪の根元付近の乾燥が遅くなる。そのため、毛髪の表面付近では、既に乾燥した部分が温風によりさらに加熱され、毛髪の表面が損傷される可能性が高い。また、毛髪の表面付近の温風が当たりやすい部分と毛髪の根元付近の温風が当たりにくい部分とでは、乾燥状態に差が生じるため、毛髪全体としては不均一な乾燥状態となりやすい。
【０００４】
このような対流加熱方式の問題点を解決するために、ヒータとしてハロゲンランプを用い、ハロゲンランプから放射される放射熱線（主に赤外線）のうち、ヘアドライヤー本体の吹き出し口から直接毛髪に向けて放射される放射熱線により輻射加熱を行うと共に、残りの放射熱線によって温風を発生させて対流加熱を行うヘアドライヤーが提案されている（特許文献１参照）。
【０００５】
輻射加熱方式は、放射熱線を利用した加熱であるため、対流加熱方式に比べて加熱効果が非常に大きい。また、放射熱線は、障害物がない状態であれば、毛髪の根元などの温風が届きにくい部分へも直線的に到達することができ、また、毛髪自体を透過して毛髪の内部も加熱することができる。その結果、対流加熱方式のみによる場合と比較して、毛髪全体を均一に乾燥させることができると共に、ヘアドライヤーの熱効率を高くすることができる。さらに、毛髪の表面付近への加熱時間が短くなるため、毛髪が損傷する可能性を低減することができる。
【０００６】
しかしながら、上記特許文献１のヘアドライヤーでは、輻射加熱に利用される放射熱線は、ハロゲンランプから放射される全放射熱線のうち主にヘアドライヤー本体の吹き出し口の方向へ放射されるものに限られるため、全放射熱線のうち輻射加熱に利用される放射熱線の割合が小さい。そのため、輻射加熱方式による加熱力が小さく、輻射加熱方式による効果が十分に得られない可能性がある。また、ハロゲンランプから放射される全放射熱線のうち残りの放射熱線によって温風を発生させているため、ハロゲンランプは、所定温度の温風を発生しうるだけのエネルギーを出力しうる必要がある。そのため、高出力のハロゲンランプを必要とし、ヘアドライヤー自体が大型化すると共に消費電力が大きくなる。一方、ヘアドライヤーを小型化しようとすると、高出力のハロゲンランプを使用することができず、毛髪に放射される放射熱線量や温風の熱量が不十分となり、へアドライヤー本来の乾燥機能が低下してしまう。
【特許文献１】特表２００２−５１９０７９号公報
【発明の開示】
【発明が解決しようとする課題】
【０００７】
本発明は、上記の問題を解決するためになされたものであり、毛髪を損傷させる可能性を低減しつつ、毛髪全体を均一に、かつ短時間に乾燥させることが可能であり、小型化及び省電力化も可能なヘアドライヤーを提供することを目的とする。
【課題を解決するための手段】
【０００８】
上記目的を達成するために請求項１の発明は、ヘアドライヤーであって、
一端に空気の吸い込み口が設けられ、他端に空気流の吹き出し口が設けられたハウジングと、
前記ハウジングの内部に設けられ、空気流を発生させる送風部と、
前記ハウジングの内部に設けられ、前記送風部から送り出された空気を加熱して温風を発生させる温風用熱源部と、
前記ハウジングの内部に設けられ、赤外線を含む放射熱線を放射する放射熱源と、前記放射熱源から放射された放射熱線を前記吹き出し口側に反射する反射ミラーを有し、主に放射熱線による輻射加熱を行う放射熱源部とを備えたことを特徴とする。
【０００９】
請求項２の発明は、請求項１のヘアドライヤーにおいて、前記温風用熱源部は前記送風部に対して前記空気流の下流側に設けられ、前記放射熱源部は前記温風用熱源部に対してさらに前記空気流の下流側に設けられていることを特徴とする。
【００１０】
請求項３の発明は、請求項２のヘアドライヤーにおいて、前記放射熱源部は、前記送風部により発生された空気流が通過する開口を有し、前記開口のうち１つは前記空気流の中心軸上に配置されていることを特徴とする。
【００１１】
請求項４の発明は、請求項１乃至請求項３のいずれかのヘアドライヤーにおいて、前記放射熱源はハロゲンランプであって、放射熱線を放射するバルブの中央部分の外観が正面から見て略環状に形成され、かつ前記バルブの両端の電極部が互いに隣接するように形成され、前記略環状の中空部分を前記空気流が通過するように、前記略環状をなす方向が前記空気流の中心軸に対して略直交するように配置されていることを特徴とする。
【発明の効果】
【００１２】
請求項１の発明によれば、温風を発生させる温風用熱源部と放射熱線を放射する放射熱源部を備えているので、温風による対流加熱方式と放射熱線による輻射加熱方式の併用により、乾燥対象物である毛髪などを、短時間に効率良く乾燥させることができる。具体的には、放射熱線による輻射加熱は、毛髪の表面を加熱するだけでなく、毛髪を透過して毛髪の内部も加熱する。また、毛髪の根元付近など温風が届きにくい箇所でも放射熱線が容易に到達しうるので、その部分を有効に加熱することができる。従って、毛髪全体が均一に加熱され、温風による対流加熱だけの場合と比較して、乾燥に要する時間が短縮され、毛髪の表面付近が過度に加熱されることがなくなる。その結果、既に乾燥した毛髪を加熱しすぎることによる毛髪の損傷が生じる可能性を大幅に低減することができる。また、放射熱線の毛髪に対する透過性及び反射性は、湿った毛髪が乾燥するにつれて上昇するという傾向、すなわち、毛髪が乾燥するにつれて毛髪への加熱量が低下するという傾向があるので、既に乾燥した毛髪を加熱しすぎることを防止しうる点でさらに有利である。さらに、輻射加熱は、空気を媒介する対流加熱と異なり、直接乾燥対象物を加熱することができるので、ヘアドライヤー自体の熱効率を高くすることができる。
【００１３】
また、温風用熱源部により発生される温風は、それ自体が毛髪を乾燥させるという効果に加えて、上記放射熱線による輻射加熱により生じる水蒸気を含んだ湿度の高い空気を吹き飛ばし、換気する効果を有する。これによって、放射熱線の輻射加熱による毛髪の乾燥を促進することができる。その結果、放射熱源部から放射される放射熱線のエネルギーが輻射加熱に有効に利用されるので、放射熱源として本来の輻射加熱に必要な出力以上の高出力は不要となる。その結果、ヘアドライヤーの小型化及び省電力化も可能となる。
【００１４】
請求項２の発明によれば、温風用熱源部と放射熱源部がそれぞれ空気流の下流方向に順に配置されているので、温風がヘアドライヤーのハウジングの吹き出し口から吹き出される方向と、放射熱線が照射される方向とを一致させることができ、乾燥対象物に対する温風の吹きつけと放射熱線の照射を同時に、かつ効果的に行うことができる。また、放射熱源部が温風用熱源部よりも下流側、すなわち吹き出し口に近い側に位置しているので、放射熱線を妨げる障害物が実質的に存在せず、放射熱線による輻射加熱を効果的に行うことができる。さらに、放射熱源部と乾燥対象物との距離が短くなるので、仮に放射熱線が拡散して照射される傾向にある場合であっても、放射熱線を有効に乾燥対象物に照射することができる。さらに、放射熱源部が温風に曝されるので、放射熱源部の温度が過度に上昇するのを防止することができると共に、放射熱源部の熱を対流加熱に利用することができ、さらに省電力化をはかることができる。
【００１５】
請求項３の発明によれば、放射熱線を反射する際、その一部が反射ミラーに吸収されて反射ミラーの温度が上昇するが、開口部を通過する空気流によって反射ミラーや放射熱源が冷却され、反射ミラーや放射熱源の温度が過度に上昇するのを防止することができる。また、開口のうち１つは空気流の中心軸上に配置されているので、反射ミラーによる空気流の圧力損失が少なくすることができ、所定の風量を得るために必要な送風部における駆動力を小さくすることができる。
【００１６】
請求項４の発明によれば、放射熱源としてハロゲンランプを用いているので、放射熱線のエネルギー密度を高くすることができ、放射熱源自体を小型化することができる。また、電源のオン／オフとほぼ同時に放射熱線の放射開始及び停止を行うことができ、ヘアドライヤーとしての使い勝手が向上する。また、放射熱線が放射されるバルブの中央部を略環状にすることにより、放射熱線を空気流の中心軸の周りに環状に放射することができる。その結果、温風の吹きつけと放射熱線の照射がいずれも均一に行われるため、乾燥対象物を効率良く均一に乾燥させることができる。
【発明を実施するための最良の形態】
【００１７】
本発明を実施するための最良の形態について図面を参照して説明する。本発明の一実施の形態に係るヘアドライヤーの構成を図１に示す。本実施の形態のヘアドライヤーは、ニクロム線などのヒータを熱源とする対流加熱方式と、ハロゲンランプなどを熱源とする放射熱線による輻射加熱方式を併用したものである。
【００１８】
ヘアドライヤー１は、ファン２１及びモータ２２を有し、ファン２１の回転により空気流（風）を発生させる送風部２と、送風部２に対して空気流の下流側に設けられ、ニクロム線などのヒータ３１により空気を加熱して温風を発生させるための温風用熱源部３と、温風用熱源部３に対して空気流の下流側に設けられ、赤外線などの放射熱線を放射する放射熱源部４と、送風部２側の開口を吸い込み口５１とし、放射熱源部４側の開口を吹き出し口５２とするハウジング５と、ハウジング５から所定方向に突出するように設けられ、スイッチ６１などが設けられたグリップ部６などで構成されている。さらに、ハウジング５の任意の箇所、例えば吹き出し口５２の近傍には、必要に応じてマイナスイオンを発生させるマイナスイオン発生部７が設けられている。
【００１９】
放射熱源部４は、赤外線を含む放射熱線を放射するハロゲンランプなどの放電ランプ（放射熱源）４１と、放電ランプ４１から放射された放射熱線のうち、吹き出し口５２の以外の方向に向かう放射熱線を吹き出し口５２側に反射させるための反射ミラー４２などで構成されている。放電ランプ４１は、図２に示すように、そのバルブの中央部４１Ａが正面から見て略環状に形成され、両端の電極部４１Ｂ及び４１Ｃが互いに平行で、かつ隣接するように形成されている。反射ミラー４２は略回転対称体であって、図１に示すように、その中央部に、温風を通過させるための略筒状の送風管（開口）４２Ａが形成されている。また、反射ミラー４２の送風管４２Ａ以外の部分は、放電ランプ４１から放射された放射熱線が、その大部分が吹き出し口５２から温風の吹き出し方向と略平行に放射されるように、例えば回転放物面や回転楕円面４２Ｂとして形成されている。放電ランプ４１は、略環状の中央部４１Ａが反射ミラー４２の送風管４２Ａの外周部に嵌装され、その略環状をなす方向が送風管４２Ａの軸に対して略直交するように取り付けられている。このように、放電ランプ４１のバルブの中央部分の外観を正面から見て略環状、すなわち回転軸対称とすることにより、放電ランプ４１を、空気流が通過する反射ミラー４２の送風管４２Ａの周りに配置することができ、放射熱線を空気流の中心軸の周りに環状に放射することができる。その結果、温風の吹きつけと放射熱線の照射がいずれも均一に行われるため、乾燥対象物を効率良く均一に乾燥させることができる。
【００２０】
図１から分かるように、ファン２１及びモータ２２の回転軸と反射ミラー４２の回転対称軸は略一致している。そのため、送風部２により発生された空気流は、温風用熱源部３を通過し、放射熱源部４の反射ミラー４２の背面４２Ｃに衝突し、その一部が反射ミラー４２の背面４２Ｃに沿って吹き出し口５２に流れると共に、残りは送風管４２Ａに流れる。従って、吹き出し口５２から放射される放射熱線の方向と、吹き出し口５２から吹き出される温風の方向がほぼ一致する。そのため、ユーザが乾燥させようとしている毛髪の部分を、対流加熱方式と輻射加熱方式の両方で同時に乾燥させることができる。さらに、ハウジング５の吸い込み口５１、ファン２１、反射ミラー４２の送風管４２Ａ、及び吹き出し口５２が一直線上に配置されているので、ハウジング５の内部における圧力損失は小さくなる。その結果、小さな出力のモータ２２でも十分な風量を得ることができる。さらに、送風部２におけるファン２１の開口部の断面積よりも反射ミラー４２の送風管４２Ａの開口断面積の方が小さいので、送風管４２Ａを通過する空気流の速度（風速）を速くすることができると共に、温風の拡散を少なくすることができる。
【００２１】
また、放射熱源部４を、ハウジング５の吹き出し口５２に最も近い部分に設け、放電ランプ４１から放射された放射熱線を妨げるものをほとんど配置していないので、放射熱線による輻射加熱を効果的に行うことが可能である。さらに、使用時において、乾燥対称物である毛髪と、放射熱源部４との距離が短くなるので、仮に放射熱線の照射が拡散される傾向にあっても、放射された放射熱線のうち大部分が毛髪に到達するので、エネルギーロスを少なくすることができる。
【００２２】
本実施の形態のヘアドライヤー１も、スイッチ６１の切り替えによって様々なモードに切り替えが可能である。まず、コールドモードが選択されたときは、温風用熱源部３及び放射熱源部４をオフにして、送風部２により発生された空気流をそのまま吹き出し口５２から吹き出させる。また、ローモードが選択されたときには、モータ２２の回転速度を低速に設定し、発生する空気流の量（風量）を少なくすると共に、温風用熱源部３及び放射熱源部４による発熱量を少なくする。また、ハイモードが選択されたときは、モータ２２の回転速度を高速に設定し、発生する空気流の量を多くすると共に、温風用熱源部３及び放射熱源部４による発熱量を多くする。これらのモードとは別に、ユーザの選択により、マイナスイオン発生部７をオンして、空気流にのせてマイナスイオンを吹き出させることも可能である。なお、送風部２により発生される空気流の量及び温風用熱源部３及び放射熱源部４による発熱量を２段階以上に切り換えても良い。また、ユーザの選択により、温風用熱源部３のみをオンする対流加熱モード、放射熱源部４のみをオンする輻射加熱モード、温風用熱源部３及び放射熱源部４の両方を同時にオンする併用モードをそれぞれ選択できるようにしてもよい。
【００２３】
次に、温風用熱源部３及び放射熱源部４の両方を同時にオンする併用モードでの乾燥動作について説明する。送風部２のモータ２２、温風用熱源部３のヒータ３１及び放射熱源部４の放電ランプ４１を同時にオンする。ファン２１の回転により発生された空気流が温風用熱源部３を通過する際、ヒータ３１により空気が加熱され温風が発生される。これと並行して、放射熱源部４の放電ランプ４１から赤外線を含む放射熱線が放射され、その大部分が吹き出し口５２から温風の吹き出し方向と略平行に放射される。このとき、放電ランプ４１の温度自体が上昇すると共に、放射熱線の一部は反射ミラー４２に吸収され、反射ミラー４２の温度も上昇する。ところが、温風用熱源部３により発生された温風が放射熱源部４を通過する際、反射ミラー４２の背面４２Ｃなどに衝突し、反射ミラー４２などの熱が温風によって吸収される。そのため、温風の温度をさらに上昇させることができると共に、反射ミラー４２など放射熱源部４の温度が過度に上昇することを防止することができる。
【００２４】
放電ランプ４１から放射された放射熱線の大部分は、吹き出し口５２から乾燥対象物である毛髪の輻射加熱に利用されるので、毛髪の根元付近など温風が届きにくい箇所であっても、放射熱線により輻射加熱を行うことができる。前述のように、放射熱線による輻射加熱は、毛髪の表面を加熱するだけでなく、毛髪を透過して毛髪の内部も加熱する。また、毛髪の根元付近など温風が届きにくい箇所でも放射熱線が容易に到達しうるので、その部分を有効に加熱することができる。また、温風用熱源部３により発生された温風が同時に乾燥態様物である毛髪などに吹き付けられるので、それ自体が毛髪を乾燥させるという効果に加えて、放射熱線による輻射加熱により生じる水蒸気を含んだ湿度の高い空気を吹き飛ばし、輻射加熱による毛髪の乾燥が促進される。その結果、上記特許文献１に記載されたヘアドライヤーと比較して、放電ランプ４１から放射される全放射熱線のうち輻射加熱に利用される放射熱線の割合が大きくなり、高出力の放電ランプを使用しなくても、輻射加熱方式による十分な加熱効果が得られる。そのため、毛髪全体を乾燥させるのに必要な時間が短くなり、毛髪の表面付近が過度に加熱されることにより毛髪が損傷する可能性が低減される。
【００２５】
また、ヒータ３１を熱源とする温風用熱源部３を併用しているため、十分な温風の熱量を確保することができ、へアドライヤー本来の乾燥機能を低下させることなく、ヘアドライヤーの小型化が可能になる。さらに、放電ランプ４１により発生された熱も温風の加熱に利用されるので、ヒータ３１の発熱量を低減させることも可能である。さらに、放電ランプ４１の温度が過度に高くなることを防止することができ、放電ランプ４１の寿命を延ばすことができる。
【００２６】
なお、上記実施の形態の説明では、放電ランプ４１としてハロゲンランプを例示したが、本発明はこれに限定されるものではなく、赤外線などの放射熱線を放射するものであればその他の放電ランプや放電ランプ以外の熱源を用いることも可能である。ハロゲンランプを用いた場合は、放射される放射熱線のエネルギー密度を高くすることができる、放電ランプ４１を小型化することができる。さらに、スイッチ６１のオン／オフとほぼ同時に放射エネルギーの立ち上がり／立ち下がりを行わせることが可能であり、ヘアドライヤーとしての使い勝手が向上する。
【００２７】
また、マイナスイオン発生部７は、ハウジング５の吹き出し口５２の近傍に配置したが、この位置に限定されるものではなく、いずれの位置に配置してもよい。また、毛髪の乾燥中にマイナスイオンを供給することにより、毛髪の損傷を低減すると共に、つや感やまとまり感といった毛髪の状態を改善することも可能である。
【００２８】
また、送風管４２Ａを反射ミラー４２の回転対称軸上に配置したが、これに限定されるものではなく、他の部分に設けても良い。また、送風管又は開口を２箇所以上に設けても良い。いずれの場合であっても、放射熱源部４の温度が過度に上昇することを防止しつつ、放射熱線による輻射加熱方式と温風による対流加熱方式によって、毛髪の乾燥を効果的に行うことができる。
【図面の簡単な説明】
【００２９】
【図１】本発明の一実施の形態に係るヘアドライヤーの構成を示す断面図。
【図２】（ａ）は上記ヘアドライヤーにおける放電ランプの形状を示す正面図、（ｂ）はその側面図。
【符号の説明】
【００３０】
１  ヘアドライヤー
２  送風部
２１  ファン
２２  モータ
３  温風用熱源部
３１  ヒータ
４  放射熱源部
４１  放電ランプ（放射熱源）
４１Ａ  （略環状の）バルブの中央部分
４１Ｂ、４１Ｃ  電極部
４２  反射ミラー
４２Ａ  送風管（開口）
４２Ｂ  回転放物面又は回転楕円面
４２Ｃ  （反射ミラーの）背面
５  ハウジング
５１  吸い込み口
５２  吹き出し口
【図１】
2005177234.tif 000003
【図２】
2005177234.tif 000004